(57)【要約】【課題】コストを削減できる冷蔵庫を提供する。【解決手段】貯蔵室２を開閉する扉１０の前面に配されるガラス板１１と、扉１０の周面に開口する開口部２０ａを有するとともにカバー１４により壁面が形成される収納室２０と、前面にタッチパネル３４を有するとともに開口部２０ａを介して収納室２０に挿入される操作ユニット３０と、開口部２０ａを塞ぐ蓋部１６とを備えた冷蔵庫１において、操作ユニット３０の開口部２０ａから離れた端部の背面を支持する支持部１４ｂと、蓋部１６に形成されるとともに操作ユニット３０の開口部２０ａ側の端部の背面に当接して操作ユニット３０の前面をガラス板１１に接触または近接させる当接部１６ａとを設けた。【選択図】図２
2014055700.tif 000002
【特許請求の範囲】
【請求項１】
貯蔵室を開閉する扉の前面に配されるガラス板と、前記扉の周面に開口する開口部を有するとともにカバーにより壁面が形成される収納室と、前面にタッチパネルを有するとともに前記開口部を介して前記収納室に挿入される操作ユニットと、前記開口部を塞ぐ蓋部とを備えた冷蔵庫において、前記操作ユニットの前記開口部から離れた端部の背面を支持する支持部と、前記蓋部に形成されるとともに前記操作ユニットの前記開口部側の端部の背面に当接して前記操作ユニットの前面を前記ガラス板に接触または近接させる当接部とを設けたことを特徴とする冷蔵庫。
【請求項２】
前記当接部の前面が前記開口部に近づくに従って前記操作ユニットに近づく方向に傾斜することを特徴とする請求項１に記載の冷蔵庫。
【請求項３】
前記操作ユニットの前記開口部から離れた端面から突出する突出部を備え、前記支持部により前記突出部の背面を支持することを特徴とする請求項１または請求項２に記載の冷蔵庫。
【請求項４】
前記収納室の前記開口部に対向する壁面に形成して前記突起部が挿入される溝部を有し、前記支持部が前記溝部の後壁から成ることを特徴とする請求項３に記載の冷蔵庫。
【請求項５】
前記タッチパネルの押圧箇所を表示する表示部材を前記ガラス板と前記操作ユニットとの間に配したことを特徴とする請求項１〜請求項４のいずれかに記載の冷蔵庫。
【請求項６】
前記開口部が前記扉の側面に開口し、前記操作ユニットの長手方向が前記扉の側面に沿って配されることを特徴とする請求項１〜請求項５のいずれかに記載の冷蔵庫。
【発明の詳細な説明】
【技術分野】
【０００１】
本発明は、前面にガラス板を配した扉にタッチパネルを設けた冷蔵庫に関する。
【背景技術】
【０００２】
従来の冷蔵庫は特許文献１に開示されている。この冷蔵庫は発泡断熱材を充填した扉の前面にガラス板を有し、ガラス板の背面にタッチパネルを有した操作ユニット（基板組品）が配される。操作ユニットは扉の側面に開口部を有する収納室（空間）内に配される。収納室は前面をガラス板で覆われ、背面及び周面を樹脂成形品のカバー（ケースカバー）により形成される。カバーによって発泡断熱材に対して収納室が隔離される。
【０００３】
操作ユニットの上下面にはスライド部材が突設され、収納室の上下面には左右方向に延びてスライド部材が嵌合するガイド溝が設けられる。ガイド溝は収納室の開口部から離れた終端部で前方に向かって傾斜する。
【０００４】
操作ユニットは開口部から収納室内に挿入され、スライド部材がガイド溝に案内されてガラス板と離れた状態で左右方向に移動する。そして、ガイド溝の終端でスライド部材が左右方向に移動しながら前方に移動する。これにより、操作ユニットの前面に配したタッチパネルがガラス板に接触または近接し、ガラス板を介してタッチパネルを操作することができる。また、タッチパネルとガラス板とが摺動しないため、タッチパネルやガラス板の傷を防止することができる。操作ユニットが収納室内に収納されると、開口部が蓋部により閉じられる。
【先行技術文献】
【特許文献】
【０００５】
【特許文献１】特許第４９４８５７８号公報（第３頁−第１２頁、第４図）
【発明の概要】
【発明が解決しようとする課題】
【０００６】
しかしながら、上記従来の冷蔵庫によると、収納室の上下面に形成されるガイド溝が左右に延びるとともに終端部で前後方向に傾斜する。このため、抜き方向が下方向の第１の金型により上方のガイド溝が形成され、抜き方向が上方向の第２の金型により下方のガイド溝が形成される。また、第１、第２の金型の間に収納室の背壁内面を形成する第３の金型が設けられる。従って、カバーの金型が複雑になり、冷蔵庫のコストが増加する問題があった。
【０００７】
本発明は、コストを削減できる冷蔵庫を提供することを目的とする。
【課題を解決するための手段】
【０００８】
上記目的を達成するために本発明は、貯蔵室を開閉する扉の前面に配されるガラス板と、前記扉の周面に開口する開口部を有するとともにカバーにより壁面が形成される収納室と、前面にタッチパネルを有するとともに前記開口部を介して前記収納室に挿入される操作ユニットと、前記開口部を塞ぐ蓋部とを備えた冷蔵庫において、前記操作ユニットの前記開口部から離れた端部の背面を支持する支持部と、前記蓋部に形成されるとともに前記操作ユニットの前記開口部側の端部の背面に当接して前記操作ユニットの前面を前記ガラス板に接触または近接させる当接部とを設けたことを特徴としている。
【０００９】
この構成によると、前面にガラス板を配した扉には周面に開口部を開口した収納室が設けられる。操作ユニットは開口部を介して収納室内に挿入され、操作ユニットの奥側の端部の背面が支持部に支持される。開口部が蓋部により塞がれると、蓋部に設けた当接部が操作ユニットの背面に当接して操作ユニットの開口部側の端部が前方に移動する。これにより、操作ユニットの前面に配したタッチパネルがガラス板に接触または近接する。
【００１０】
また本発明は、上記構成の冷蔵庫において、前記当接部の前面が前記開口部に近づくに従って前記操作ユニットに近づく方向に傾斜することを特徴としている。
【００１１】
また本発明は、上記構成の冷蔵庫において、前記操作ユニットの前記開口部から離れた端面から突出する突出部を備え、前記支持部により前記突出部の背面を支持することを特徴としている。
【００１２】
また本発明は、上記構成の冷蔵庫において、前記収納室の前記開口部に対向する壁面に形成して前記突起部が挿入される溝部を有し、前記支持部が前記溝部の後壁から成ることを特徴としている。
【００１３】
また本発明は、上記構成の冷蔵庫において、前記タッチパネルの押圧箇所を表示する表示部材を前記ガラス板と前記操作ユニットとの間に配したことを特徴としている。
【００１４】
また本発明は、上記構成の冷蔵庫において、前記開口部が前記扉の側面に開口し、前記操作ユニットの長手方向が前記扉の側面に沿って配されることを特徴としている。
【発明の効果】
【００１５】
本発明によると、操作ユニットの開口部から離れた端部の背面を支持部により支持し、操作ユニットの前面をガラス板に接触または近接させる当接部を蓋部に設けている。これにより、タッチパネルを確実に操作できるとともにガラス板等と操作ユニットとの摺動を回避してタッチパネル等の傷を防止することができる。また、樹脂成形品のカバーの内面を形成する金型の抜き方向を一方向にすることができ、金型を簡素化して冷蔵庫のコストを削減することができる。
【図面の簡単な説明】
【００１６】
【図１】本発明の実施形態の冷蔵庫を示す正面図
【図２】図１のＡ−Ａ断面図
【図３】本発明の実施形態の冷蔵庫の操作基板及び表示パネルの分解斜視図
【発明を実施するための形態】
【００１７】
＜第１実施形態＞
以下に図面を参照して本発明の実施形態を説明する。図１は一実施形態の冷蔵庫を示す正面図である。冷蔵庫１は断熱箱体（不図示）の上方から順に冷蔵室２、冷凍室３、野菜室４が設けられる。冷蔵室２は貯蔵物を冷蔵保存し、冷凍室３は貯蔵物を冷凍保存する。野菜室４は冷蔵室２よりも高温に維持して野菜等の貯蔵物を冷蔵保存する。
【００１８】
冷蔵室２は一端を枢支される扉１０により開閉され、扉１０の下端には手指を掛けて扉１０を開く把手部１０ａが設けられる。冷凍室３は貯蔵物の収納ケース（不図示）と一体の引出し式の扉５により開閉される。野菜室４は野菜ケース（不図示）と一体の引出し式の扉６により開閉される。扉５、６の上端部には手指を掛けて扉５、６を引き出す把手部５ａ、６ａがそれぞれ設けられる。
【００１９】
各扉５、６、１０は発泡断熱材１３（図２参照）が充填され、前面にはガラス板１１（図２参照）が配される。ガラス板１１により扉５、６、１０の前面の清掃性を向上することができる。また、冷蔵室２の扉１０の左側端部には上下方向に延びる表示パネル１５（表示部材）がガラス板１１の背面に設けられ、表示パネル１５の背面には収納室２０内に収納される操作ユニット３０が配される。
【００２０】
図２は図１のＡ−Ａ断面図であり、収納室２０の底面断面図を示している。扉１０の前面にはガラス板１１が配され、左側面には側面板１２が配される。扉１０の背面及び右側面は背面板（不図示）で覆われ、上下面にはそれぞれドアキャップ（不図示）が被嵌される。そして、ガラス板１１、側面板１２、背面板及びドアキャップで囲まれた空間内に発泡断熱材１３が充填される。
【００２１】
ガラス板１１は環状の枠部１７により周囲を保持され、上下方向に延びる表示パネル１５が左側部の枠部１７により支持される。収納室２０の周面（上下面及び右側面）及び背面は側面板１２の前部に係合する樹脂成形品のカバー１４により覆われる。また、カバー１４には表示パネル１５に隣接して収納室２０の右端部の前面を覆う前壁１４ｅが設けられる。
【００２２】
発泡断熱材１３の充填によってカバー１４の外面が発泡断熱材１３に固着され、表示パネル１５は収納室２０の上方及び下方で背面を発泡断熱材１３に固着される。これにより、ガラス板１１、表示パネル１５及びカバー１４が一体化される。
【００２３】
収納室２０内はカバー１４によって発泡断熱材１３に対して隔離され、収納室２０の前面は表示パネル１５及びカバー１４の前壁１４ｅにより覆われる。収納室２０の左側端面には開口部２０ａが開口する。収納室２０内には開口部２０ａを介して操作ユニット３０が収納され、樹脂成形品の蓋部１６により開口部２０ａが塞がれる。操作ユニット３０は扉１０の側面に沿って長手方向を上下方向に配される。
【００２４】
操作ユニット３０は樹脂成形品のホルダ３２により保持される操作基板３３を有している。ホルダ３２は互いに係合する前面部３２ａと背面部３２ｂとを有し、前面部３２ａには操作基板３３を収納する凹部３２ｃが形成される。
【００２５】
図３は操作基板３３及び表示パネル１５を示す分解斜視図である。操作基板３３は前面にタッチパネル３４が配され、背面にＬＥＤ基板３５が配される。タッチパネル３４の下部には静電容量を検出する複数の検出子３６が設けられ、上部には複数の孔部３４ａが形成される。ＬＥＤ基板３５の上部には孔部３４ａ内に挿入される複数のＬＥＤ３７が実装される。
【００２６】
表示パネル１５には孔部３４ａに対向して運転モードを示すマーク３９が形成され、検出子３６に対向してタッチパネル３４の押圧箇所を示すマーク３８が形成される。マーク３９及びマーク３８は、印刷を施したフィルムを表示パネル１５の表面側に貼付ける等の方法によって形成される。
【００２７】
ガラス板１１（図２参照）を介して表示パネル１５のマーク３８上が押圧されると、検出子３６により静電容量の変化を検出して所定の運転モードが実行される。この時、運転モードに対応してＬＥＤ３７が点灯し、マーク３９を後方から照明して運転状態が報知される。
【００２８】
図２において、カバー１４の開口部２０ａに対向する側壁１４ａには溝部１４ｃが形成される。この時、樹脂成形品のカバー１４の内面を側壁１４ａから開口部２０ａに向かう方向（矢印Ｂ方向）を抜き方向とした一の金型により形成することができる。このため、カバー１４を形成する金型を簡素化し、冷蔵庫１のコストを削減することができる。尚、溝部１４ｃの後壁は後述する支持部１４ｂを構成する。
【００２９】
操作ユニット３０の開口部２０ａから離れた端面を形成する側壁３２ｄにはカバー１４の側壁１４ａに向かって突出する突出部３２ｅが設けられる。また、蓋部１６には収納室２０内に突出する当接部１６ａが設けられる。当接部１６ａの前面は傾斜面から成り、開口部２０ａに近づくに従って操作ユニット３０に近づく方向に傾斜する。
【００３０】
操作ユニット３０は開口部２０ａを介して収納室２０内に挿入される。操作ユニット３０の奥側の端面に突出した突出部３２ｅは溝部１４ｃ内に挿入され、突出部３２ｅの背面が溝部１４ｃの後壁から成る支持部１４ｂにより支持される。これにより、操作ユニット３０は前面を表示パネル１５及びカバー１４の前壁１４ｅから離れた状態で傾斜して仮保持される。
【００３１】
この時、突出部３２ｅが側壁３２ｄから突出するため、側壁３２ｄの前端を前壁１４ｅから確実に離して操作ユニット３０を仮保持することができる。また、操作ユニット３０が仮保持した際に短手方向を傾斜するため、操作ユニット３０が開口部２０ａ側よりも前方に配される奥側で操作ユニット３０と表示パネル１５との距離を大きくすることができる。
【００３２】
蓋部１６により開口部２０ａが塞がれると、当接部１６ａが操作ユニット３０の背面に当接して操作ユニット３０の開口部２０ａ側の端部が前方に導かれる。当接部１６ａの前面が傾斜面に形成されるため、操作ユニット３０の後方に当接部１６ａを容易に挿入することができる。
【００３３】
これにより、操作ユニット３０は支持部１４ｂ及び当接部１６ａにより背面側を支持され、操作ユニット３０の前面が表示パネル１５を挟んでガラス板１１に近接する。この時、操作ユニット３０が表示パネル１５に近接してもよく、接触してもよい。これにより、ガラス板１１及び表示パネル１５を介して操作ユニット３０上のタッチパネル３４（図３参照）を確実に操作することができる。また、操作ユニット３０の挿入時に表示パネル１５と操作ユニット３０との摺動が回避され、タッチパネル３４や表示パネル１５の傷を防止することができる。
【００３４】
本実施形態によると、操作ユニット３０の開口部２０ａから離れた端部の背面を支持部１４ｂにより支持し、操作ユニット３０の前面をガラス板１１に近接させる当接部１６ａを蓋部１６に設けている。これにより、操作ユニット３０の一端を支持部１４ｂにより支持して操作ユニット３０を傾斜した状態で仮保持し、蓋部１６の装着により操作ユニット３０がガラス板１１に近接する。
【００３５】
このため、操作ユニット３０と表示パネル１５との摺動を回避することができる。従って、タッチパネル３４や表示パネル１５の傷を防止するとともに、タッチパネル３４をガラス板１１に近接して確実に操作することができる。また、樹脂成形品のカバー１４の内面を形成する金型の抜き方向を一方向（Ａ方向）にすることができ、金型を簡素化して冷蔵庫１のコストを削減することができる。
【００３６】
また、当接部１６ａの前面が開口部２０ａに近づくに従って操作ユニット３０に近づく方向に傾斜するので、蓋部１６を装着した際に操作ユニット３０の後方に当接部１６ａを容易に挿入することができる。
【００３７】
また、操作ユニット３０の開口部２０ａから離れた側壁３２ｄから突出部３２ｅが突出し、支持部１４ｂにより突出部３２ｅの背面を支持するので、操作ユニット３０を表示パネル１５から確実に離して仮保持することができる。
【００３８】
また、収納室２０の開口部２０ａに対向する壁面（側壁１４ａ）に凹設した溝部１４ｃの後壁により、支持部１４ｂを容易に形成することができる。
【００３９】
また、開口部２０ａが扉１０の側面に開口し、操作ユニット３０の長手方向が扉１０の側面に沿って配されるので、操作ユニット３０が短手方向を傾斜して仮保持される。従って、操作ユニット３０が開口部２０ａ側に対して前方に配される奥側で表示パネル１５と操作ユニット３０との距離を大きくし、操作ユニット３０と表示パネル１５との摺動をより確実に防止することができる。
【００４０】
本実施形態において、表示パネル１５がガラス板１１と一体に形成されるが、表示パネル１５を収納室２０内に収納可能な長さで操作ユニット３０と一体に形成してもよい。この時、当接部１６ａによって操作ユニット３０の前面の表示パネル１５がガラス板１１に近接または接触して配される。これにより、タッチパネル３４を確実に操作できるとともに、ガラス板１１や表示パネル１５の傷を防止することができる。
【００４１】
また、ガラス板１１の裏面に飛散防止フィルムを貼り付けてもよい。この時、表示パネル１５とガラス板１１との間に飛散防止フィルムが配される。これにより、ガラス板１１に衝撃が加えられた際のガラスの飛散が防止される。
【００４２】
また、表示パネル１５にマーク３９及びマーク３８を形成したが、表示パネル１５に替えてマーク３９及びマーク３８を印刷したシート状またはフィルム状の部材を操作ユニット３０の前面に貼り付けてもよい。この時、当接部１６ａによって操作ユニット３０の前面のシート状またはフィルム状の部材がガラス板１１に近接または接触して配される。これにより、タッチパネル３４を確実に操作できるとともに、ガラス板１１や表示パネル１５の傷を防止することができる。
【００４３】
また、カバー１４ａの前壁１４ｅを省き、収納室２０の右端部の前面をガラス板１１または表示パネル１５により覆ってもよい。この時、支持部１４ｂをカバー１４の背壁から前方に突出して形成すると、カバー１４の内面を形成する金型の抜き方向を前方向（図２の矢印Ｄ方向）にすることも可能である。
【００４４】
また、扉１０の側面に開口部２０ａを開口して収納室２０が形成されるが、扉１０の上面や下面に開口部２０ａを開口して収納室２０を形成してもよい。
【産業上の利用可能性】
【００４５】
本発明によると、前面にガラス板を配した扉にタッチパネルを設けた冷蔵庫に利用することができる。
【符号の説明】
【００４６】
１    冷蔵庫
２    冷蔵室
３    冷凍室
４    野菜室
５、６、１０  扉
１１    ガラス板
１４    カバー
１４ｂ  支持部
１４ｃ  溝部
１５    表示パネル
１６    蓋部
１６ａ  当接部
２０    収納室
２０ａ  開口部
３０    操作ユニット
３２    ホルダ
３２ｅ  突出部
３３    操作基板
３４    タッチパネル
３６    検出子
３５    ＬＥＤ基板
３７    ＬＥＤ
３８、３９  マーク
【図１】
2014055700.tif 000003
【図２】
2014055700.tif 000004
【図３】
2014055700.tif 000005